(57)【要約】【課題】複数の食品を包装することができるとともに、廃棄が容易な包装容器を提供する。【解決手段】包装容器１は、上面に折りたたまれる蓋部１１と、蓋部１１から底部１５に向かって細くなるテーパをなし、側壁に側壁を周回するように設けられるカット部１３を備える外套部１２と、外套部１２からカット部１３を取り除いてできる分割枠体に嵌まり込む内側容器１４と、を備える。廃棄する場合には、それぞれ平面上に畳むことにより容易に廃棄することができる。【選択図】図１
2018070163.tif 000002
【特許請求の範囲】
【請求項１】
蓋部と、
前記蓋部から底部に向かって細くなるテーパをなし、側壁に側壁を周回するように設けられるカット部を備える外套部と、
前記外套部から前記カット部を取り除いてできる分割枠体に嵌まり込む内側容器と、
を備える包装容器。
【請求項２】
前記内側容器は、
側壁同士が解放自在である請求項１に記載の包装容器。
【請求項３】
前記内側容器は、
側壁の高さが対応する前記分割枠体の側壁の高さより高い請求項１に記載の包装容器。
【請求項４】
前記内側容器は、
前記外套部の内部に複数設けられ、
下方に配置される前記内側容器の開口部の形状が上方に配置される前記内側容器の底面の形状と略等しい請求項１に記載の包装容器。
【発明の詳細な説明】
【技術分野】
【０００１】
本発明は、包装容器に関するものである。
【背景技術】
【０００２】
従来食品等を包装する使い捨ての包装容器が用いられてきた。この包装容器は、食品等を一種類のみ包装するものが主流である（例えば、特許文献１。）。
【０００３】
しかし、食文化の多様性や高級志向から複数の食品を一つの包装容器に包装する需要が存在する。
【０００４】
この点に関し、複数の包装容器を積層する技術が提案されている（例えば、特許文献２。）この技術は、所定の形状に切断された一枚の紙を折りたたむことにより、重ね合わすことができる容器を形成するものである。
【０００５】
しかし、この技術は、容器を形成するために紙片の一部を糊付けしなければならない。従って、廃棄するときには糊付け部分を剥がすことにより容器をつぶす必要があり、ユーザーにとって面倒なものとなっていた。
【先行技術文献】
【特許文献】
【０００６】
【特許文献１】特開２０１１−１７３６３４号公報
【特許文献２】実開平７−４３４０号公報
【発明の概要】
【発明が解決しようとする課題】
【０００７】
本発明の解決しようとする課題は、複数の食品を包装することができるとともに、廃棄が容易な包装容器を提供することである。
【課題を解決するための手段】
【０００８】
本発明は、蓋部と、前記蓋部から底部に向かって細くなるテーパをなし、側壁に側壁を周回するように設けられるカット部を備える外套部と、前記外套部から前記カット部を取り除いてできる分割枠体に嵌まり込む内側容器と、を備える包装容器を提供する。
【発明の効果】
【０００９】
本発明によれば、複数の食品を包装することができるとともに、廃棄が容易な包装容器を提供することができる。
【図面の簡単な説明】
【００１０】
【図１】包装容器の斜視図。
【図２】カット部をすべて取り外し、蓋部を取り除いた包装容器の斜視図。
【図３】外套部を分割した様子を示す図。
【図４】第１の内側容器を第１の分割枠体から外した状態を示した図。
【図５】外套部の展開図。
【図６】第１の内側容器の展開図。
【図７】第２の内側容器の展開図。
【図８】第３の内側容器の展開図。
【図９】液体を入れるための第４の内側容器の斜視図。
【発明を実施するための形態】
【００１１】
以下、本発明の実施形態の一例にかかる包装容器を、図面を参照しながら説明する。
【００１２】
図１は本実施形態の包装容器１の斜視図である。図１に示すように、包装容器１は、上面に折り畳まれる蓋部１１と、蓋部１１に接続するハンドル１０と、切り込み線を備えるカット部１３を有し、蓋部１１から底部１５に向かって細くなるテーパをなす外套部１２を備える。
【００１３】
蓋部１１は、平面視が矩形をなし、外套部１２の対抗する一方の辺から他方の辺に向かって伸びる第１の蓋部１１Ａ及び第２の蓋部１１Ｂを備える。
【００１４】
ハンドル１０は、第１の蓋部１１Ａの端部に接続する第１のハンドル１０Ａと、第２の蓋部１１Ｂの端部に接続する第２のハンドル１０Ｂと、を備える。第１のハンドル１０Ａと第２のハンドル１０Ｂとは、互いに裏面同士を合わせて蓋部１１から情報に向かって伸びる。
【００１５】
外套部１２の側壁は、蓋部１１の一辺の長さＷ１より、この一片の下方に位置する底部１５の一片の長さＷ２の方が短い。
【００１６】
カット部１３は、ミシン目又は複数の切込みが隣り合わせて配置される。従って、カット部１３の一端を持って引くと切り込みの配列方向に沿ってテープ状にカット部１３が外套部１２から分離できる。
【００１７】
カット部１３は、底部１５に平行に外套部１２の側壁を周回するように配置される。従って、カット部１３を引きはがすと、外套部１２はカット部１３の上の部分と、カット部１３の下の部分とに分割される。
【００１８】
図１には、外套部１２の側壁にカット部１３が底部１５に平行に、互いに間隔をあけて第１のカット部１３Ａ、第２のカット部１３Ｂ、及び第３のカット部１３Ｃの３つ設けられた例を示す。
【００１９】
図２は、カット部１３をすべて取り外し、蓋部１１を取り除いた包装容器１の斜視図である。図２に示すように、包装容器１は、外套部１２の内部に外套部１２に対応する形状を有する内側容器１４をカット部１３の数と同じだけ備える。
【００２０】
図２に示した例は、カット部１３が外套部１２に３つ設けられるため、内側容器１４は、第１の内側容器１４Ａ、第２の内側容器１４Ｂ、及び第３の内側容器１４Ｃの３つが外套部１２の内部に配置される。
【００２１】
以下、カット部１３を取り外してできる、分割された外套部１２をそれぞれ第１の分割枠体１２Ａ、第２の分割枠体１２Ｂ、及び第３の分割枠体１２Ｃとう。
【００２２】
図３は、外套部１２を分割した様子を示す図である。図３に示すように、第１の内側容器１４Ａは、第１の分割枠体１２Ａに対応する形状をなし、側壁の高さが第１の分割枠体１２Ａの側壁の高さより高い。第１の内側容器１４Ａの底面の各辺の長さは、第１の分割枠体１２Ａの下方の各辺の長さとほぼ等しい。従って、第１の分割枠体１２Ａに第１の内側容器１４Ａを嵌め込んだ状態においては、第１の内側容器１４Ａの一部が第１の分割枠体１２Ａの上方から突出して見える。
【００２３】
第２の内側容器１４Ｂは第２の分割枠体１２Ｂに対応する形状をなす。第２の分割枠体１２Ｂの側壁の高さは、第１の分割枠体１２Ａの側壁の高さより高い。第２の内側容器１４Ｂの底面の各辺の長さは、第２の分割枠体１２Ｂの下方の各辺の長さとほぼ等しい。従って、第２の分割枠体１２Ｂに第２の内側容器１４Ｂを嵌め込んだ状態においては、第２の内側容器１４Ｂの一部が第２の分割枠体１２Ｂの上方から突出して見える。
【００２４】
また、第１の内側容器１４Ａの底面の形状は第２の内側容器１４Ｂの開口部の形状と略等しい。従って、第２の内側容器１４Ｂの上に第１の内側容器１４Ａを配置すると、第１の内側容器１４Ａは第２の内側容器１４Ｂの内部に嵌まり込まずに第２の内側容器１４Ｂの上に載置された状態にとどまる。
【００２５】
第３の内側容器１４Ｃは第３の分割枠体１２Ｃに対応する形状をなす。第３の分割枠体１２Ｃの側壁の高さは、第２の分割枠体１２Ｂの側壁の高さより高い。第３の内側容器１４Ｃの底面の各辺の長さは、第３の分割枠体１２Ｃの下方の各辺の長さとほぼ等しい。従って、第３の分割枠体１２Ｃに第３の内側容器１４Ｃを嵌め込んだ状態においては、第３の内側容器１４Ｃの一部が第３の分割枠体１２Ｃの上方から突出して見える。
【００２６】
また、第２の内側容器１４Ｂの底面の形状は第３の内側容器１４Ｃの開口部の形状と略等しい。従って、第３の内側容器１４Ｃの上に第２の内側容器１４Ｂを配置すると、第２の内側容器１４Ｂは第３の内側容器１４Ｃの内部に嵌まり込まずに第３の内側容器１４Ｃの上に載置された状態にとどまる。
【００２７】
図４は、第１の内側容器１４Ａを第１の分割枠体１２Ａから外した状態を示した図である。図４に示すように、第１の分割枠体１２Ａは、上底面及び下底面を有さない。また、第１の内側容器１４Ａは、側壁同士を糊付けしない。
【００２８】
従って、第１の分割枠体１２Ａは前後方向に押し縮めれば略平面となり、第１の内側容器１４Ａは広げれば平面となる。第２の内側容器１４Ｂ及び第３の内側容器１４Ｃも同様に側壁同士を糊付けなどによって固定せず、解放自在であるため、広げると平面となる。また、第２の分割枠体１２Ｂ及び第３の分割枠体１２Ｃも前後方向に押し縮めれば略平面となる。従って、廃棄に便利である。
【００２９】
図５は、外套部１２の展開図である。破線は谷折りを、一点鎖線は山折を示す。図５に示すように、外套部１２はのりしろ１６を有し、１枚の紙から作ることができる。
【００３０】
第１のカット部１３Ａを剥がすと、ハンドル１０と蓋部１１が分離される。この場合も、第１の蓋部１１Ａの裏面と第２の蓋部１１Ｂの裏面とを合わせるように畳めば、略平面となり、廃棄に便利である。
【００３１】
図６は第１の内側容器１４Ａの展開図、図７は第２の内側容器１４Ｂの展開図、図８は第３の内側容器１４Ｃの展開図である。
【００３２】
図６から図８までに示すように、第１の内側容器１４Ａ、第２の内側容器１４Ｂ、及び第３の内側容器１４Ｃは、側壁にのりしろを有さず、広げるだけによって平面となる。
【００３３】
図９は、スープなどの液体を入れるための第４の内側容器１４Ｄの斜視図である。図９に示すように、第４の内側容器１４Ｄは、外套部１２の形状に対応する形状をなし、外套部１２の内部にはめ込まれる。第４の内側容器１４Ｄは襟部１７をそれぞれ折り曲げられて糊付けされる。従って、液体を第４の内側容器１４Ｄにいれてもこぼれない。また、襟部１７の糊付け部分を外すだけにより、第４の内側容器１４Ｄは平面となる。従って、廃棄に便利である。
【００３４】
なお、上述の実施形態においては平面視が矩形の包装容器１を用いて説明したが、包装容器１は平面視が三角形以上の多角形でも円形などの曲面を含むものでもよい。また、包装容器１は、平面上に畳んだ形により包装資材として流通させることもできる。
【００３５】
以上述べたように、本実施形態の包装容器１は、上面に折りたたまれる蓋部１１と、蓋部１１から底部１５に向かって細くなるテーパをなし、側壁に側壁を周回するように設けられるカット部１３を備える外套部１２と、外套部１２からカット部１３を取り除いてできる分割枠体に嵌まり込む内側容器１４と、を備える。
【００３６】
従って、包装容器１は、各内側容器１４にそれぞれ異なる食品を収容することにより、複数の食品を包装することができるとともに、使用後は平面に畳むことができるため、廃棄が容易であるという効果がある。
【符号の説明】
【００３７】
１  包装容器
１０  ハンドル
１０Ａ  第１のハンドル
１０Ｂ  第２のハンドル
１１  蓋部
１１Ａ  第１の蓋部
１１Ｂ  第２の蓋部
１２  外套部
１２Ａ  第１の分割枠体
１２Ｂ  第２の分割枠体
１２Ｃ  第３の分割枠体
１３  カット部
１３Ａ  第１のカット部
１３Ｂ  第２のカット部
１３Ｃ  第３のカット部
１４  内側容器
１４Ａ  第１の内側容器
１４Ｂ  第２の内側容器
１４Ｃ  第３の内側容器
１４Ｄ  第４の内側容器
１５  底部
１７  襟部
【図１】
2018070163.tif 000003
【図２】
2018070163.tif 000004
【図３】
2018070163.tif 000005
【図４】
2018070163.tif 000006
【図５】
2018070163.tif 000007
【図６】
2018070163.tif 000008
【図７】
2018070163.tif 000009
【図８】
2018070163.tif 000010
【図９】
2018070163.tif 000011